【事件の表示】
　特許第３２３１１８７号「硬貨処理装置」の請求項１に係る特許に対する特許異議の申立てについて、次のとおり決定する。
【結　論】
　訂正を認める。
　特許第３２３１１８７号の請求項１に係る特許を維持する。
【理　由】
１．訂正の適否
（１）訂正の内容
・訂正事項（イ）
　特許請求の範囲の請求項１において、
「投入硬貨を硬貨グループＡ、Ｂと硬貨グループＣ、Ｄに振り分けるゲート手段と、振り分けられた前記硬貨グループＡ、Ｂをそれぞれ格別の硬貨通路へ振り分ける一方の硬貨振分レバーと、振り分けられた前記硬貨グループＣ、Ｄをそれぞれ格別の硬貨通路へ振り分ける他方の硬貨振分レバーとを有し、また前記一方の硬貨振分レバーを支承する一方の軸と前記他方の硬貨振分レバーを支承する他方の軸とが互いに直交するように配設された硬貨処理装置において、
　前記一方の硬貨振分レバーの一方の軸と該一方の軸と直交する前記他方の硬貨振分レバーの他方の軸とを、両端部にそれぞれ中心軸方向が互いに直交する係合凹部を形成した略コの字形状のスライダーからなるリンク機構を介して連結するとともに、
　前記スライダーに一つのソレノイドプランジャを連結し、もって、互いに直交する軸に支承された前記一方の硬貨振分レバーと他方の硬貨振分レバーとを前記一つのソレノイドプランジャにより同時に駆動するようにしたことを特徴とする硬貨処理装置。」とある記載を、
「投入硬貨を硬貨グループＡ、Ｂと硬貨グループＣ、Ｄに振り分けるゲート手段と、振り分けられた前記硬貨グループＡ、Ｂをそれぞれ格別の硬貨通路へ振り分ける一方の硬貨振分レバーと、振り分けられた前記硬貨グループＣ、Ｄをそれぞれ
金庫側へ通ずる硬貨通路（７９）と硬貨通路（８０）に
（８１）
　前記一方の硬貨振分レバー
（７６）
前記
（７６ａ）
（７６ａ）
（８１）
前記
（８１ａ）
前記一方の硬貨振分レバー（７６）の先端部に固着された第一のピン（９１）であって、前記一方の硬貨振分レバー（７６）の前記一方の軸（７６ａ）と平行な第一のピン（９１）と、前記他方の硬貨振分レバー（８１）の前記他方の軸（８１ａ）にアーム（９２）を介して固着された第二のピン（９３）であって、前記他方の硬貨振分レバー（８１）の前記他方の軸（８１ａ）と平行な第二のピン（９３）と、前記第一のピン（９１）に係合する第一の係合凹部（９５）と前記第二のピン（９３）に係合する第二の係合凹部（９４）を両端部に形成した
（９６）と
　前記スライダーに一つのソレノイドプランジャを連結し、もって、
前記一方の軸（７６ａ）に支承された前記一方の硬貨振分レバー（７６）と、前記一方の軸（７６ａ）と互いに直交する前記他方の軸（８１ａ）に支承された前記他方の硬貨振分レバー（８１）とを、
　　　
・訂正事項（ロ）
　明細書の段落【００１２】中の
「上述した課題を解決するため、この発明では、投入硬貨を硬貨グループＡ、Ｂと硬貨グループＣ、Ｄに振り分けるゲート手段と、振り分けられた前記硬貨グループＡ、Ｂをそれぞれ格別の硬貨通路へ振り分ける一方の硬貨振分レバーと、振り分けられた前記硬貨グループＣ、Ｄをそれぞれ格別の硬貨通路へ振り分ける他方の硬貨振分レバーとを有し、また前記一方の硬貨振分レバーを支承する一方の軸と前記他方の硬貨振分レバーを支承する他方の軸とが互いに直交するように配設された硬貨処理装置において、前記一方の硬貨振分レバーの一方の軸と該一方の軸と直交する前記他方の硬貨振分レバーの他方の軸とを、両端部にそれぞれ中心軸方向が互いに直交する係合凹部を形成した略コの字形状のスライダーからなるリンク機構を介して連結するとともに、前記スライダーに一つのソレノイドプランジャを連結し、もって、互いに直交する軸に支承された前記一方の硬貨振分レバーと他方の硬貨振分レバーとを前記一つのソレノイドプランジャにより同時に駆動するようにしている。」とある記載を、
「上述した課題を解決するため、この発明では、投入硬貨を硬貨グループＡ、Ｂと硬貨グループＣ、Ｄに振り分けるゲート手段と、振り分けられた前記硬貨グループＡ、Ｂをそれぞれ格別の硬貨通路へ振り分ける一方の硬貨振分レバーと、振り分けられた前記硬貨グループＣ、Ｄをそれぞれ
金庫側へ通ずる硬貨通路（７９）と硬貨通路（８０）に
（８１）
（７６）
前記
（７６ａ）
（７６ａ）
（８１）
前記
（８１ａ）
前記一方の硬貨振分レバー（７６）の先端部に固着された第一のピン（９１）であって、前記一方の硬貨振分レバー（７６）の前記一方の軸（７６ａ）と平行な第一のピン（９１）と、前記他方の硬貨振分レバー（８１）の前記他方の軸（８１ａ）にアーム（９２）を介して固着された第二のピン（９３）であって、前記他方の硬貨振分レバー（８１）の前記他方の軸（８１ａ）と平行な第二のピン（９３）と、前記第一のピン（９１）に係合する第一の係合凹部（９５）と前記第二のピン（９３）に係合する第二の係合凹部（９４）を両端部に形成した
（９６）
前記一方の軸（７６ａ）に支承された前記一方の硬貨振分レバー（７６）と、前記一方の軸（７６ａ）と互いに直交する前記他方の軸（８１ａ）に支承された前記他方の硬貨振分レバー（８１）とを、
　　　
・訂正事項（ハ）
　明細書の段落【０１５８】中の
「以上説明したように、この発明の硬貨処理装置では、硬貨振分レバーを支承する各軸がそれぞれ互いに略直交するように配設された二つの硬貨振分レバーを、両端部にそれぞれ中心軸方向が互いに直交する係合凹部を形成した略コの字形状のスライダーからなるリンク機構を介して連結するとともに、このスライダーに一つのソレノイドプランジャを連結して、互いに直交する軸に支承された二つの硬貨振分レバーを一つのソレノイドプランジャにより同時に駆動するようにしたから、硬貨振分レバーを支承する各軸がそれぞれ互いに略直交するように配設された二つの硬貨振分レバーを少なくとも有する硬貨処理装置の部品点数を削減して、その製造コストを大幅に低減することができる。」とある記載を、
「以上説明したように、この発明の硬貨処理装置では、
一方の軸（７６ａ）に支承された一方の硬貨振分レバー（７６）と、前記一方の軸（７６ａ）と互いに直交する他方の軸（８１ａ）に支承された他方の硬貨振分レバー（８１）とを、前記一方の硬貨振分レバー（７６）の先端部に固着された第一のピン（９１）であって、前記一方の硬貨振分レバー（７６）の前記一方の軸（７６ａ）と平行な第一のピン（９１）と、前記他方の硬貨振分レバー（８１）の前記他方の軸（８１ａ）にアーム（９２）を介して固着された第二のピン（９３）であって、前記他方の硬貨振分レバー（８１）の前記他方の軸（８１ａ）と平行な第二のピン（９３）と、前記第一のピン（９１）に係合する第一の係合凹部（９５）と前記第二のピン（９３）に係合する第二の係合凹部（９４）を両端部に形成した
（９６）と
前記一方の軸（７６ａ）に支承された前記一方の硬貨振分レバー（７６）と、前記一方の軸（７６ａ）と互いに直交する前記他方の軸（８１ａ）に支承された前記他方の硬貨振分レバー（８１）とを、前記
前記一方の軸（７６ａ）に支承された前記一方の硬貨振分レバー（７６）と、前記一方の軸（７６ａ）と互いに直交する他方の軸（８１ａ）に支承された前記他方の硬貨振分レバー（８１）
　　　
・訂正事項（ニ）
　明細書の段落【００８６】中の
「またスライダー９の係合凹部９４、９５」とある記載を、
「またスライダー
９６
　　　
・訂正事項（ホ）
　明細書の段落【００１１】中の
「この発明は上述した事情に鑑み、硬貨振分レバーを支承する各軸がそれぞれ互いに略直交するように配設された二つの硬貨振分レバーを一つのソレノイドプランジャーで同時に駆動するようにした硬貨処理装置を提供することを目的とする。」とある記載を、
「この発明は上述した事情に鑑み、
一方の軸（７６ａ）に支承された一方の硬貨振分レバー（７６）と、前記一方の軸（７６ａ）と互いに直交する他方の軸（８１ａ）に支承された他方の硬貨振分レバー（８１）とを、
　　
（２）訂正の目的の適否、新規事項の有無及び拡張・変更の存否
　上記訂正事項（イ）は、「他方の硬貨振分レバー」により振り分けられた後の「格別の硬貨通路」を、明細書に記載された実施例である「金庫側へ通ずる硬貨通路（７９）と硬貨通路（８０）」と特定し、「リンク機構」について、明細書に記載された実施例である「前記一方の硬貨振分レバー（７６）の先端部に固着された第一のピン（９１）であって、前記一方の硬貨振分レバー（７６）の前記一方の軸（７６ａ）と平行な第一のピン（９１）と、前記他方の硬貨振分レバー（８１）の前記他方の軸（８１ａ）にアーム（９２）を介して固着された第二のピン（９３）であって、前記他方の硬貨振分レバー（８１）の前記他方の軸（８１ａ）と平行な第二のピン（９３）と、前記第一のピン（９１）に係合する第一の係合凹部（９５）と前記第二のピン（９３）に係合する第二の係合凹部（９４）を両端部に形成した略コの字形状のスライダー（９６）とからなるリンク機構」と限定するとともに、「前記一方の硬貨振分レバーの一方の軸と該一方の軸と直交する前記他方の硬貨振分レバーの他方の軸」という記載を「前記一方の硬貨振分レバー（７６）の前記一方の軸（７６ａ）と該一方の軸（７６ａ）と直交する前記他方の硬貨振分レバー（８１）の前記他方の軸（８１ａ）」とし、また、「互いに直交する軸に支承された前記一方の硬貨振分レバーと他方の硬貨振分レバー」という記載を「前記一方の軸（７６ａ）に支承された前記一方の硬貨振分レバー（７６）と、前記一方の軸（７６ａ）と互いに直交する前記他方の軸（８１ａ）に支承された前記他方の硬貨振分レバー（８１）」として、その構成を明りょうにするものである。
　よって、上記訂正事項（イ）は、特許請求の範囲の減縮および明りょうでない記載の釈明を目的とした訂正に該当する。
　そして、上記訂正事項（ロ）、（ハ）および（ホ）は、上記訂正事項（イ）との整合を図るものであるから、明りょうでない記載の釈明を目的とした訂正に該当する。
　さらに、上記訂正事項（ニ）は、明らかな誤記を訂正するものであるから、誤記の訂正を目的とした訂正に該当する。
　そして、上記いずれの訂正事項も、願書に添付した明細書又は図面に記載した事項の範囲内のものであって、また、特許請求の範囲を拡張し、又は変更するものでもない。
　　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　　
２．特許異議の申立てについての判断
（１）本件発明
　上記のとおり訂正は認められるから、本件特許の請求項１に係る発明（以下、「本件発明」という。）は、訂正明細書の特許請求の範囲の請求項１に記載されたとおりのものと認める。（上記１．（１）訂正事項（イ）参照）
　　
（２）当審で通知した取消理由（特許法第３６条第５項違反）について
　上記取消理由は、本件の特許請求の範囲の記載について、「他方の硬貨振分レバー」が、どの硬貨通路へ硬貨を振り分けるためのレバーなのか明確に特定されていない点、および、リンク機構が連結する「一方の軸」および「他方の軸」は、詳細な説明中のどの部材に対応するものなのか明確でない点、で不備が認められる旨指摘したものである。しかしながら、上記訂正の結果、これらの点はいずれも明確になったので、上記取消理由は解消した。
　　
　また、その他の異議申立理由および証拠は、本件発明を取り消すべき理由として採用することができない。
　なお、甲第１号証（富士電機冷機株式会社、MODEL FRE423 TYPE 電子式４ＷＡＹ硬貨選別機サービスマニュアル）について、申立人は「甲第１号証は、その富士電機株式会社が製造し、富士電機冷機株式会社が販売したMODEL FRE423 TYPE 電子式４ＷＡＹ硬貨選別機のサービスマニュアルで、その表紙右上の記載「ＭＢ８９−０１９」の「８９」は１９８９年度版であることを示している」旨主張するが、この記載が申立人の主張どおりのものであるか否か明らかではない。また、甲第１号証の第１２〜１４頁のものは、当該サービスマニュアルの目次に記載された項目・頁数と整合しておらず、その頁番号の表記の仕方も他の頁と異なっているところ、当該サービスマニュアルにそもそも含まれているものであるのか明らかでない。したがって、甲第１号証は、本件出願前に日本国内又は外国において頒布された刊行物であると認めることはできず、これを採用することはできない。
　　
（３）むすび
　以上のとおりであるから、特許異議申立の理由及び証拠によっては本件発明についての特許を取り消すことはできない。
　したがって、本件発明についての特許は、拒絶の査定をしなければならない特許出願に対してされたものと認めない。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１５年８月４日（２００３．８．４）
【訂正の要旨】
審決（決定）の【理由】欄参照。
（５４）【発明の名称】
硬貨処理装置
（５７）【特許請求の範囲】
　【請求項１】投入硬貨を硬貨グループＡ、Ｂと硬貨グループＣ、Ｄに振り分けるゲート手段と、振り分けられた前記硬貨グループＡ、Ｂをそれぞれ格別の硬貨通路へ振り分ける一方の硬貨振分レバーと、振り分けられた前記硬貨グループＣ、Ｄをそれぞれ
金庫側へ通ずる硬貨通路（７９）と硬貨通路（８０）に
（８１）
　前記一方の硬貨振分レバー
（７６）
前記
（７６ａ）
（７６ａ）
（８１）
前記
（８１ａ）
前記一方の硬貨振分レバー（７６）の先端部に固着された第一のピン（９１）であって、前記一方の硬貨振分レバー（７６）の前記一方の軸（７６ａ）と平行な第一のピン（９１）と、前記他方の硬貨振分レバー（８１）の前記他方の軸（８１ａ）にアーム（９２）を介して固着された第二のピン（９３）であって、前記他方の硬貨振分レバー（８１）の前記他方の軸（８１ａ）と平行な第二のピン（９３）と、前記第一のピン（９１）に係合する第一の係合凹部（９５）と前記第二のピン（９３）に係合する第二の係合凹部（９４）を両端部に形成した
（９６）
　前記スライダーに一つのソレノイドプランジャを連結し、もって、
前記一方の軸（７６ａ）に支承された前記一方の硬貨振分レバー（７６）と、前記一方の軸（７６ａ）と互いに直交する前記他方の軸（８１ａ）に支承された前記他方の硬貨振分レバー（８１）とを、
【発明の詳細な説明】
　【０００１】
　【産業上の利用分野】
　この発明は自動販売機、両替機、サービス機器等に使用され、投入硬貨を金種別に選別収容するとともに、選別収容された硬貨を釣銭として払い出す硬貨処理装置に関する。
　【０００２】
　【従来の技術】
　自動販売機、両替機、サービス機器等には、従来から投入硬貨を金種別に選別収容するとともに、この選別収容された硬貨を釣銭として払い出す硬貨処理装置が装着されている。
　【０００３】
　この硬貨処理装置は大別すると次の３つの部分から構成されている。
　【０００４】
　その第１は硬貨処理装置の筐体を構成する装置本体であり、この装置本体の最下部には釣銭を払い出す硬貨払出部が配設されている。
　【０００５】
　第２は、上述した硬貨払出部の直上に配設され、選別された硬貨を金種別に収容する硬貨収容部である。なお、この硬貨収容部は複数のコインチューブから構成されており、この硬貨収容部は上述した硬貨処理装置の装置本体に対し着脱自在に装着されている。
　【０００６】
　そして、第３は、上述した硬貨収容部の直上に配設され、投入硬貨の正偽と正貨を金種別に選別する硬貨選別部である。
　【０００７】
　このような構成の硬貨処理装置では、投入硬貨は最初に硬貨選別部に入り、コイルセンサにより硬貨の正偽と正貨の金種別選別が行われる。そして、選別された硬貨は各所に配設された硬貨振分レバーにより格別の硬貨通路へそれぞれ振り分けられ、このうち正貨は金種別に硬貨収容部内に選別収容される。さらに釣銭の金種が特定されると、最下部に配設された硬貨払出部により硬貨収容部内に収容された硬貨が、釣銭の金額に応じて選択され払い出される。
　【０００８】
　【発明が解決しようとする課題】
　ところで、上述した硬貨選別部の硬貨振分レバーはソレノイドプランジャにより駆動されるが、従来の硬貨処理装置では、一つの硬貨振分レバーを一つのソレノイドプランジャにより駆動するようにしているため、配設されている硬貨振分レバーと同数のソレノイドプランジャが必要となり、部品点数が多くなるばかりでなく、硬貨処理装置が大型化するという問題点があった。
　【０００９】
　特に、選別する硬貨の金種が増えたときには、その増大した金種の分だけ硬貨振分レバーが必要となるため、増大した硬貨振分レバーに対応する数だけソレノイドプランジャを設置しなければならず、装置の大型化は避けられないことになる。
　【００１０】
　なお、従来では上述した課題を解決するため、特開昭５０−３７４９９号、あるいは実開昭５９−３３５７２号に開示されているように、連動手段を介し複数の硬貨振分レバーを一つのソレノイドプランジャーで同時に駆動するものが開示されているが、この特開昭５０−３７４９９号、あるいは実開昭５９−３３５７２号に開示された複数の硬貨振分レバーは互いに同一方向へ向け並設された各硬貨通路をそれれ開閉するもので、そのため、各硬貨振分レバーを支承する各軸はいずれも互いに平行に並設されている。一方、硬貨処理装置においては、互いに異なる方向へ向け延設された各硬貨通路に、それぞれ硬貨振分レバーを配設したものもある。その場合、各硬貨振分レバーを支承する軸は、それぞれ平行ではなく互いに略直交するように配設される場合がある。このような場合は上述した従来の連動手段を適用して、硬貨振分レバーを支承する軸がそれぞれ互いに略直交するように配設された各硬貨振分レバーを一つのソレノイドプランジャーで同時に駆動することができない難点がある。
　【００１１】
　この発明は上述した事情に鑑み、
一方の軸（７６ａ）に支承された一方の硬貨振分レバー（７６）と、前記一方の軸（７６ａ）と互いに直交する他方の軸（８１ａ）に支承された他方の硬貨振分レバー（８１）とを、
　【００１２】
　【課題を解決するための手段】
　上述した課題を解決するため、この発明では、投入硬貨を硬貨グループＡ、Ｂと硬貨グループＣ、Ｄに振り分けるゲート手段と、振り分けられた前記硬貨グループＡ、Ｂをそれぞれ格別の硬貨通路へ振り分ける一方の硬貨振分レバーと、振り分けられた前記硬貨グループＣ、Ｄをそれぞれ
金庫側へ通ずる硬貨通路（７９）と硬貨通路（８０）に
（８１）
（７６）
前記
（７６ａ）
（７６ａ）
（８１）
前記
（８１ａ）
前記一方の硬貨振分レバー（７６）の先端部に固着された第一のピン（９１）であって、前記一方の硬貨振分レバー（７６）の前記一方の軸（７６ａ）と平行な第一のピン（９１）と、前記他方の硬貨振分レバー（８１）の前記他方の軸（８１ａ）にアーム（９２）を介して固着された第二のピン（９３）であって、前記他方の硬貨振分レバー（８１）の前記他方の軸（８１ａ）と平行な第二のピン（９３）と、前記第一のピン（９１）に係合する第一の係合凹部（９５）と前記第二のピン（９３）に係合する第二の係合凹部（９４）を両端部に形成した
（９６）と
前記一方の軸（７６ａ）に支承された前記一方の硬貨振分レバー（７６）と、前記一方の軸（７６ａ）と互いに直交する前記他方の軸（８１ａ）に支承された前記他方の硬貨振分レバー（８１）とを、
　【００１３】
　【００１４】
　すなわち、この発明に係わる硬貨処理装置によれば、異なる動作を行う２つの硬貨振分レバーを同時に動作させることができるため、２つの硬貨振分レバーを一つのソレノイドプランジャで駆動することが可能となる。したがって、硬貨選別部の機能を損なうことなしに、部品点数を削減することができる。
　【００１５】
　【実施例】
　以下、この発明に係わる硬貨処理装置の一実施例を詳述する。
　【００１６】
　図２はこの発明に係わる硬貨処理装置１０の概念斜視図である。
　【００１７】
　この硬貨処理装置１０も、従来と同様に大別すると次の３つの部分から構成されている。
　【００１８】
　その第１は硬貨処理装置１０の筐体を構成する装置本体１１であり、この装置本体１１の最下部には釣銭を払い出す硬貨払出部１２が配設されている。
　【００１９】
　第２は硬貨払出部１２の直上に配設され、選別された硬貨を金種別に収容する硬貨収容部１３である。なお、この硬貨収容部１３も従来と同様に複数のコインチューブから構成されており装置本体１１に対し着脱自在に装着されている。
　【００２０】
　そして、第３は前記硬貨収容部１３の直上に配設され、投入硬貨の正偽と正貨を金種別に選別する硬貨選別部１４である。なお、この硬貨選別部１４も従来と同様に装置本体１１に対し着脱自在に装着されている。
　【００２１】
　なお、図２で符号１５は、特に使用頻度の高い硬貨を予め収容しておく補助チューブである。
　【００２２】
　一方、この装置本体１１内から硬貨選別部１４を取り外した状態を示す図１の概念斜視図で示すように、この硬貨選別部１４には、その右肩にスイッチボックス１６が一体形成され、このスイッチボックス１６内には、硬貨収容部１３内に収容された硬貨を金種毎に強制的に払出す等の指示を与える制御スイッチ群１７（いわゆるインベントリースイッチ群）が配設されている。
　【００２３】
　またこの硬貨選別部１４の背面側に形成されたボックス内には、硬貨払出部１２や硬貨選別部１４の内部に配設された各種の電子機器の駆動を制御するための電子部品（ＣＰＵ等）を搭載した制御ボード１８が密封収容されている。
　【００２４】
　なお、このような硬貨選別部１４を図２で示すように、装置本体１１内に装着すると、装置本体１１の背面内側に配設されたコネクタ（図示せず）と硬貨選別部１４の背面に配設されたコネクタ（図示せず）とが連結し、ケーブル１９を介し供給される各種の信号線や電力供給線と制御ボード１８（図１）とが電気的に接続されることとなる。
　【００２５】
　従って、上述した硬貨処理装置１０によると、当該硬貨処理装置１０内に配設された各種の電子機器の駆動を制御する制御ボード１８が、装置本体１１に対し着脱自在に装着された硬貨選別部１４内に配設されているので、制御ボード１８の保守点検作業を行う際は、硬貨選別部１４を装置本体１１から取り外す簡単な作業によって制御ボード１８を硬貨選別部１４から取り出し、その調整作業を容易に行うことができることとなる。一方、この硬貨処理装置１０では、当該硬貨処理装置１０上に落下し、あるいはその内部に進入した液物（洗剤等の液体）に対する被害を避けるため、硬貨処理装置１０上に落下した液物を迅速にその外部へ排出するための液物排出手段が各構成部分に形成されている。
　【００２６】
　次に上述した硬貨処理装置１０の各部に形成された液物排出手段について詳述する。
　【００２７】
　まず第１に硬貨選別部１４に形成された液物排出手段（第４の液物排出手段）について詳述する。
　【００２８】
　図３は硬貨選別部１４の要部破断拡大図である。
　【００２９】
　この硬貨選別部１４には、メインプレート２０の上部と、ゲートプレート２１との間に硬貨投入口２２が形成されている。そして、この硬貨投入口２２の略垂直下方には、この硬貨投入口２２の下端に連通し、当該硬貨投入口２２から投入された硬貨を図面の右方向に転動させる傾斜した第１の硬貨通路２３が形成されている。そしてこの第１の硬貨通路２３の途中には、投入された硬貨が通過する間に投入硬貨の正偽、及び正貨と見なされた硬貨の金種とを判別するコイルセンサ２４が配設されている。なお、このコイルセンサ２４は投入された硬貨が通過し得るように、所定間隔を設けて相対向するように配設された図示せぬ発振コイルと受信コイルとから構成されている。
　【００３０】
　一方、図３で示す前記硬貨投入口２２の一方を形成するメインプレート２０には硬貨投入口２２内に投入された液物を案内する複数本の液物案内溝２５が形成されている。
　【００３１】
　この案内溝２５は硬貨投入口２２の壁面に沿うメインプレート２０に所定のピッチで立設され、しかも傾斜して形成された複数のフィン２６と、この複数のフイン２６の下面から所定のピッチで垂直下方に延出された複数の堰２７とから構成されている。
　【００３２】
　また、硬貨投入口２２の他方を形成するゲートプレート２１の壁面には、当該ゲートプレート２１の要部背面図で示す図４のように、前記メインプレート２０に形成された案内溝２５（図３）と対向するように他方の案内溝２８が形成されている。なお、このゲートプレート２１に形成された案内溝２８は、硬貨投入口２２の垂直下方に沿って形成された複数のフイン２９と該複数のフィン２９間に傾斜して形成された複数の堰３０とにより構成されている。
　【００３３】
　なお図４で符号３１はゲートプレート２１に固着され、前記第１の硬貨通路２３の一部を構成するゲートレールで、このゲートレール３１にも、落下する液物を下方へ案内するスリット３２が複数形成されている。
　【００３４】
　一方、図３で示すようにメインプレート２０の下部にはシュート３３が形成されており、このシュート３３には複数の長孔３４が形成されている。またこのシュート３３の下端には垂直下方へ垂れ下がるように複数の突起３５が形成され、この複数の突起３５の先端は、硬貨投入口２２の下方に形成されたボックス形状の液物捕集部３６内に臨むように延設されている。
　【００３５】
　この液物捕集部３６は図３のＡＡ要部拡大断面図で示す図５のように上面が開口したボックス３７により構成されており、その左側（図３）には捕集した液物を排出する断面矩形状のパイプ３８が形成されている。
　【００３６】
　そして、このパイプ３８は図２で示すように装置本体１１の左側面に形成された切り欠孔１１ａを介し装置本体１１の外部へ露出している。なお、このパイプ３８の下流端は装置本体１１の左側面に配設された液物排出チューブ３９の上流端と連通している。
　【００３７】
　上述した硬貨選別部１４に形成された液物排出手段（第４の液物排出手段）によると、図５で示すように、硬貨投入口２２内に洗剤等の液物（矢印）が流し込まれると、この液物はメインプレート２０とゲートプレート２１に形成された液物案内溝２５、２８間に沿って案内され、硬貨投入口２２の下方へ落下する。その際、液物の流れはメインプレート２０及びゲートプレート２１に形成された前記各堰２７、３０によって塞き止められつつ下方へ落下し、急激に下方へ落下することはない。
　【００３８】
　一方、メインプレート２０とゲートプレート２１とに形成された各液物案内溝２５、２８間を通過した液物はシュート３３の長孔３４及び突起３５を介して落下し、液物捕集部３６を構成するボックス３７内に捕集される。
　【００３９】
　なお、液物捕集部３６を構成するボックス３７内に落下する液物は上述したように堰２７、３０によって塞き止められつつ下方へ落下するので、急激に大量の液物がボックス３７内に落下することはなく、従って捕集された液物がボックス３７内からオーバーフローし、その周囲に付着することはない。
　【００４０】
　なお、ボックス３７内に落下した液物は図３の矢印で示すようにパイプ３８を介し左側方に案内され、さらにパイプ３８を介し案内された液物は、図２で示すようにパイプ３８と連通する液物排出チューブ３９の上流端に案内され、さらにこの液物排出チューブ３９を介し矢印の如く装置本体１１の外部へ迅速に排出される。
　【００４１】
　従って上述した構成の硬貨選別部１４によると、仮に洗剤等の粘着質な液物が硬貨投入口２２から流し込まれても、その液物は硬貨投入口２２の下端から迅速に硬貨処理装置１０を構成する装置本体１１の外部へ排出されることとなり、このため洗剤等の粘着質な液物が硬貨選別部１４の硬貨通路下流に配設された各種の選別機器等に付着し、その機能を低下させる虞を可及的に低減させることができることとなる。
　【００４２】
　なお、上記実施例では、硬貨投入口２２内から落下した液物を排出する液物排出手段（第４の液物排出手段）について詳述したが、この発明の硬貨処理装置１０では、それ以外の部分に落下した液物を排出する液物排出手段も同様に形成されている。
　【００４３】
　次に、上述した硬貨選別部１４の硬貨投入口２２以外の部分に落下した液物を排出する液物排出手段について詳述する。
　【００４４】
　図６及び図７は、前記硬貨選別部１４の詳細正面図及び背面図で図１と同一部分を同一符号で示すとともに、この硬貨選別部１４の外面に形成された液物排出手段（第２の液物排出手段）を詳細に示したものである。
　【００４５】
　図７で示すように、硬貨選別部１４の背面は着脱自在なリヤカバー４０で覆われている（なお、このリヤカバー４０を取外すと図１に示す制御ボード１８が露出する）。
　【００４６】
　このリヤカバー４０には、その表面に３本の堰４１、４２、４３が突設され、この３本の堰４１、４２、４３によって硬貨選別部１４の上面１４ａに落下した液物を案内する液物案内溝４４、４５、４６、４７を形成している。
　【００４７】
　なお硬貨選別部１４の上面１４ａは、当該硬貨選別部１４の背面側へ向け傾斜するように形成されている。
　【００４８】
　このような傾斜した上面１４ａと案内溝４４、４５、４６、４７とによると、図１に示す硬貨選別部１４の上面１４ａに落下した液物（矢印）は硬貨選別部１４の側方と背面側へ流れるが、このうち、硬貨選別部１４の側方へ流れた液物は、図１及び図７で示すように、案内溝４４、４５、４６を介し、図７で示す硬貨選別部１４の背面右側へ案内される。
　【００４９】
　また図１の矢印で示すように硬貨選別部１４の背面側に流れた液物は、図７の矢印で示すように案内溝４７、４６を介し、これも図７で示す硬貨選別部１４の背面右側へ案内される。
　【００５０】
　そして、図７で示す硬貨選別部１４の背面右側へ案内された液物は、後述する装置本体１１内に形成された液物捕集部内に落下し、しかる後、図１で示す装置本体１１の左側方に形成された孔１１ｂとこの孔１１ｂに連設した溝１１ｃとを介し装置本体１１の外部へ迅速に排出される。
　【００５１】
　従って上述した第２の液物排出手段によると、仮に洗剤等の粘着質な液物が硬貨選別部１４の上面１４ａに落下しても、その液物は硬貨選別部１４の背面を覆うリヤカバー４０に形成された傾斜した上面１４ａと案内溝４４、４５、４６、４７とを介し装置本体１１の外部へ排出されるので、硬貨選別部１４の上面１４ａに落下した液物が硬貨選別部１４内に侵入し、各種の選別機器等に付着して、その機能を低下させることはない。
　【００５２】
　次に、図１の矢印で示すように装置本体１１の上面５０に落下した液物を排出する液物排出手段（第１の液物排出手段）について詳述する。
　【００５３】
　この硬貨処理装置１０の装置本体１１の上面５０には、その周縁に沿って凹部５１が形成されている。また、この凹部５１の底面は装置本体１１の背面５２側へ向け傾斜するように形成され、またその背面５２側の中央部には切り欠５３が前記凹部５１内と連通するように形成されている。
　【００５４】
　従って、装置本体１１の上面５０に落下した液物は、凹部５１により装置本体１１の背面５２側に案内され、さらに切り欠５３を介し背面５２の下方へ落下する。
　【００５５】
　一方、装置本体１１の背面には、図８及び図８の一部破断拡大上面図で示す図９のように複数本の溝５４からなる第１の液物案内溝５５が形成されている。
　【００５６】
　この液物案内溝５５は図８で示すように、上流端が前記切り欠５３に臨み、途中で右側に折れ曲がり、そのまま下流端が装置本体１１の右側縁に沿って下方へ延出するように形成されている。
　【００５７】
　また、前記第１の液物案内溝５５の途中には、装置本体１１の背面途中から右方向に横切って形成された、これも複数本の溝５６からなる第２の液物案内溝５７が交わっている。
　【００５８】
　従って、上述した凹部５１と第１及び第２の液物案内溝５５、５７とからなる第１の液物排出手段によると、装置本体１１の上面５０に落下した液物は、凹部５１と、この凹部５１に連通する第１の液物案内溝５５を介し装置本体１１の背面右側へ案内され、さらに下方に落下して装置本体１１の外部へ迅速に排出される。
　【００５９】
　また図８で示すように、第１の液物案内溝５５からオーバーフローした液物（矢印）は、装置本体１１の背面途中から右方向に横切って形成された第２の液物案内溝５７により捕集され、これも同様に装置本体１１の背面右側へ案内されて落下し、装置本体１１の外部へ迅速に排出されることとなる。
　【００６０】
　一方、図１で示すように装置本体１１の上面５０に落下した液物のうち、ケーブル１９が露出する周辺に落下した液物は、このケーブル１９を伝わって下方へ落下するので、このケーブル１９を伝わって下方へ落下する液物を排出するため、この発明の硬貨処理装置１０では以下に詳述するような液物排出手段（第３の液物排出手段）が形成されている。
　【００６１】
　図１０は図８のＢＢ要部断面図である。
　【００６２】
　この図１０で示すように、ケーブル１９は、装置本体１１と一体に形成された複数の取付リブ６０によって、装置本体１１の内側から装置本体１１の背面５２側へ向けて密着するように取り付けられている。
　【００６３】
　一方、ケーブル１９が密着する装置本体１１の背面５２には、図８で示すようにケーブル１９の延出方向に沿って、複数個の液物排出孔６１が形成されている。この複数個の液物排出孔６１は図１０で示すようにそれぞれケーブル１９の表面に臨んで開口し、その底面６１ａは装置本体１１の背面５２側へ向けて傾斜するように形成されている。
　【００６４】
　また図８で示すようにケーブル１９の延設方向に沿って形成された複数の液物排出孔６１のうち、最上部の液物排出孔６１を除く各液物排出孔６１は、前記第１の液物案内溝５５の下流に臨んで開口している。
　【００６５】
　従って、上述した液物排出手段によると、図１０で示すように、ケーブル１９を伝わって下方に落下する液物（矢印）の一部は、液物排出孔６１を介し装置本体１１の背面５２に排出され、さらに図８で示す第１の液物案内溝５５を介して装置本体１１の外部へ迅速に排出される。
　【００６６】
　一方、ケーブル１９の下流端は、図２のＣＣ概念断面図で示す図１１のように、ピン６２によってＬ字形状に折り曲げられているが、その折り曲げ部１９ａの下方にはボックス６３によって構成された液物捕集部６４が装置本体１１と一体に形成されている。またこの液物捕集部６４であるボックス６３の左端は、図２で示す装置本体１１の左側面下方に形成された前記孔１１ｂに連通している。
　【００６７】
　よって上述した第３の液物排出手段によると、図１１で示すようにケーブル１９を伝わって下方に落下する液物（矢印）は液物捕集部６４であるボックス６３に捕集され、さらに装置本体１１の左側面下方に形成された孔１１ｂと、この孔１１ｂに連設された溝１１ｃとを介して装置本体１１の外部へ迅速に排出されることとなる。
　【００６８】
　なお、図７で示した第２の液物排出手段の案内溝４４、４５、４６、４７を介し硬貨選別部１４の背面右側へ案内された液物も、図１１の矢印で示すように、液物捕集部６４であるボックス６３内に落下し、次に孔１１ｂと、この孔１１ｂに連設された液物案内溝１１ｃとを介して装置本体１１の外部へ迅速に排出されることとなる。
　【００６９】
　従って、上述した第１乃至第４の各液物排出手段によると、実施例の硬貨処理装置１０では、その上面に落下した液物は、全て第１乃至第４の各液物排出手段を介し硬貨処理装置１０の外部に迅速に排出されることとなり、このため液物が硬貨処理装置１０内に侵入して各電子機器に付着し、そして各電子機器の作動を不良ならしめる等の弊害が可及的に除去されることとなる。
　【００７０】
　次に、上述した硬貨処理装置１０を構成する硬貨選別部１４の選別機構を詳述する。
　【００７１】
　図１２は、硬貨選別部１４の硬貨選別機能を簡単に説明するための概念正面図で図３と同一部分を同一符号で示してある。なお、この図１２では図３乃至図５に示した硬貨選別部１４の液物排出手段の記載は省略している。
　【００７２】
　この硬貨選別部１４は、基本的に互いに相異なる４種類の硬貨（正貨）Ａ、Ｂ、Ｃ、Ｄと偽貨の選別を行うものである。
　【００７３】
　この硬貨選別部１４の硬貨投入口２２の直下には図面の右方向に傾斜した第１の硬貨通路２３が形成され、その途中には硬貨の正偽と正貨の金種とを判別するコイルセンサ２４が配設されている。
　【００７４】
　一方、この第１の硬貨通路２３の終端には、該第１の硬貨通路２３から転送された硬貨を正偽貨に振分け、正貨と偽貨とを格別の硬貨通路へ案内する第１の硬貨振分けレバー７０が配設されている。なお、この第１の硬貨振分レバー７０は下端の軸７０ａを中心に上端が図面に対し垂直方向に開閉するタイプの硬貨振分レバーである。
　【００７５】
　そしてこの第１の硬貨振分レバー７０により、前記第１の硬貨通路２３の終端は、投入された硬貨のうち偽貨のみを案内する第２の硬貨通路７１と正貨の硬貨グループのみを案内する第３の硬貨通路７２とに分岐されている。
　【００７６】
　一方、前記第３の硬貨通路７２の下流端には、該第３の硬貨通路７２内に転送された正貨の硬貨グループ、即ちＡ、Ｂ、Ｃ、Ｄの４種類の正貨のうち、硬貨Ａ、Ｂのグループと、硬貨Ｃ、Ｄのグループとに振分ける第２の硬貨振分レバー７３が配設されている。そして、この第２の硬貨振分レバー７３により前記第３の硬貨通路７２は硬貨グループＡ、Ｂのみを案内する図面の左側へ傾斜した第４の硬貨通路７４と、硬貨グループＣ、Ｄのみを案内する第５の硬貨通路７５とに分岐している。なお、第２の硬貨振分レバー７３は特許請求の範囲のゲート手段に相当する。
　【００７７】
　次に、本願発明に係わる第２の硬貨振分レバー７３について説明する。上述した第２の硬貨振分レバー７３は、図１２で示す如く全体として正面形状が略Ｌ字形状に形成されている。この第２の硬貨振分レバー７３は、その要部斜視図で示す図１３のように、メインプレート２０から突出した際に第４の硬貨通路７４を開放し、また図１４で示すようにメインプレート２０側に吸引された際に第４の硬貨通路７４を閉塞する第１のゲート７３ａと、図１３で示すように、メインプレート２０から突出した際に第５の硬貨通路７５を閉塞し、また図１４で示すようにメインプレート２０側に吸引された際に第５の硬貨通路７５を開放する第２のゲート７３ｂとから構成されている。
　【００７８】
　このような、第２の硬貨振分レバー７３によると、当該第２の硬貨振分レバー７３が図１５で示すようにメインプレート２０から突出すると、第４の硬貨通路７４が開放され、かつ第５の硬貨通路７５が閉塞するので、硬貨グループＡ、Ｂのみが図面の左側へ傾斜した第４の硬貨通路７４へ案内される。
　【００７９】
　また、第２の硬貨振分レバー７３が図１６で示すようにメインプレート２０側に吸引されると第４の硬貨通路７４が閉塞され、かつ第５の硬貨通路７５が開放されるので、硬貨グループＣ、Ｄのみが下方の第５の硬貨通路７５へ案内されることとなる。
　【００８０】
　一方、図１２で示すように、前記第４の硬貨通路７４の下流端には、該第４の硬貨通路７４内に転送された硬貨グループＡ、Ｂを硬貨Ａと硬貨Ｂとに振り分ける第３の硬貨振分レバー７６が配設されている。そして、この第３の硬貨振分レバー７６により前記第４の硬貨通路７４は硬貨Ａのみを案内する第６の硬貨通路７７と、硬貨Ｂのみを案内する第７の硬貨通路７８とに分岐している。なお、この第３の硬貨振分レバー７６は左端の軸７６ａを中心に右端７６ｂが図面に対し垂直方向に開閉するタイプの硬貨振分レバーである。
　【００８１】
　一方、図１２で示すように、前記第５の硬貨通路７５の下流端には、メインプレート２０の背面側に形成され、図示せぬ金庫側へ通ずる第８の硬貨通路７９と第５の硬貨通路７５下流の第９の硬貨通路８０とに振り分ける第４の硬貨振分レバー８１が配設されている。
　【００８２】
　そして、この第４の硬貨振分レバー８１により、後述する硬貨収容部に蓄積された特定金種の硬貨がオーバーフローした際は、そのオーバーフローした金種の硬貨を前記金庫側へ通じる第８の硬貨通路７９へ振分案内するとともに、硬貨収容部に蓄積された硬貨がオーバーフローしない通常時には、第５の硬貨通路７５を通過した硬貨グループＣ、Ｄを第９の硬貨通路８０へ振分案内する。なお、この第４の硬貨振分レバー８１も下端の軸８１ａを中心に上端が図面に対し垂直方向に開閉するタイプの硬貨振分レバーである。
　【００８３】
　一方、上述した第４の硬貨振分レバー８１と前記第３の硬貨振分レバー７６は一つのソレノイドプランジャにより連動して駆動される。
　【００８４】
　次に、本願発明に係わるリンク機構からなる連動装置９０の構造について説明する。
　【００８５】
　図１７は第４の硬貨振分レバー８１と前記第３の硬貨振分レバー７６とを連動させる連動装置９０の概念斜視図で、図１２と同一部分を同一符号で示す。
　【００８６】
　この連動装置９０は、第３の硬貨振分レバー７６の先端部に固着されたピン９１であって、当該第３の硬貨振分レバー７６の軸７６ａと平行なピン９１と、第４の硬貨振分レバー８１の軸８１ａにアーム９２を介して固着されたピン９３であって、当該第４の硬貨振分レバー８１の軸８１ａと平行なピン９３と、この各ピン９１、９３に係合する係合凹部９４、９５を両端部に形成した略コの字形状のスライダー９６とからなるリンク機構により構成されている。なお、第３の硬貨振分レバー７６の軸７６ａと第４の硬貨振分レバー８１の軸８１ａとは互いに直交するように配設されており、またスライダー
９６
　【００８７】
　このようなリンク機構からなる連動装置９０によると、スライダ９６の背面９６ａに配設された図示せぬソレノイドプランジャを介して、スライダ９６を矢印で示す方向に往復運動させると、第４の硬貨振分レバー８１と前記第３の硬貨振分レバー７６とが連動し、それぞれ軸７６ａ、８１ａを中心に所定の回転角度回動する。
　【００８８】
　即ち、スライダ９６を矢印左側方向へ移動させると、第３の硬貨振分レバー７６は軸７６ａを中心に反時計方向へ回動し、また第４の硬貨振分レバー８１は軸８１ａを中心に時計方向に回動する。
　【００８９】
　このように、第３の硬貨振分レバー７６が軸７６ａを中心に反時計方向へ回動し、また第４の硬貨振分レバー８１が軸８１ａを中心に時計方向に回動すると、第３の硬貨振分レバー７６により図１２で示す第６の硬貨通路７７が閉塞されて、第７の硬貨通路７８が開放されることとなり、また第４の硬貨振分レバー８１により第８の硬貨通路７９が閉塞されて第９の硬貨通路８０が開放されることとなる。
　【００９０】
　一方、スライダ９６を図１７で示すように、矢印右側方向へ移動させると、第３の硬貨振分レバー７６は軸７６ａを中心に時計方向へ回動し、また第４の硬貨振分レバー８１は軸８１ａを中心に反時計方向に回動する。
　【００９１】
　このように、第３の硬貨振分レバー７６が軸７６ａを中心に時計方向へ回動し、また第４の硬貨振分レバー８１が軸８１ａを中心に反時計方向に回動すると、第３の硬貨振分レバー７６により図１２で示す第６の硬貨通路７７が開放されて、第７の硬貨通路７８が閉塞されることとなり、また第４の硬貨振分レバー８１により第８の硬貨通路７９が開放されて第９の硬貨通路８０が閉塞されることとなる。
　【００９２】
　すなわち、上述した第２の硬貨振分レバー７３と連動装置９０によると、第２の硬貨振分レバー７３が図１５で示すように第４の硬貨通路７４を開放したときは、第５の硬貨通路７５が閉塞されるため、第４の硬貨通路７４の下流端に配設された第３の硬貨振分レバー７６が回動したときに、第４の硬貨振分レバー８１が連動しても、第３の硬貨振分レバー７６における硬貨の振り分け動作に影響を与えることはない。また第２の硬貨振分レバー７３が図１６で示すように第５の硬貨通路７５を開放したときは、第４の硬貨通路７４が閉塞されるため、第５の硬貨通路７５の下流端に配設された第４の硬貨振分レバー８１が回動したときに、第３の硬貨振分レバー７６が連動しても、第４の硬貨振分レバー８１における硬貨の振り分け動作に影響を与えることはない。
　【００９３】
　したがって、通常２つの硬貨振分レバーを駆動するためには２つのソレノイドプランジャが必要となるが、異なる振り分け動作を行う２つの硬貨振分レバーを同時に動作させることができることになる。このため、２つの硬貨振分レバーを一つのソレノイドプランジャにより同時に駆動することができるようになり、従来に比べて部品点数を削減させることができるという作用効果がある。
　【００９４】
　一方、図１２で示すよう、第９の硬貨通路８０の下流端には、この第９の硬貨通路８０に案内される硬貨グループＣ、Ｄを硬貨Ｄと硬貨Ｃとに振り分ける第５の硬貨振分レバー１００が配設されている。そして、この第５の硬貨振分レバー１００により前記第９の硬貨通路８０は硬貨Ｃのみを案内する図面の左側へ傾斜した第１０の硬貨通路１０１と、メインプレート２０の背面側に形成された硬貨Ｄのみを案内する第１１の硬貨通路１０２とに分岐されている。
　【００９５】
　なお、上述した第１乃至第５の硬貨振分レバー（７０、７３、７６、８１、１００）は、概念的にはそれぞれ図１８で示すように、ソレノイド１０４により、スライダ１０５及びこのスライダ１０５に係合するピン１０６を介して開閉駆動されるが、実施例のスライダ１０５は特に磁力により吸着される金属（例えば鉄板）により構成されている。
　【００９６】
　このような鉄製のスライダ１０５によると、ソレノイド１０４の消磁状態では、図１８で示すようにメインプレート２０とスライダ１０５との間に配設されたコイルスプリング１０７の付勢力Ｆ１と、ソレノイド１０４のプランジャ１０４ａを常時は図面の左方向へ付勢するコイルスプリング１０８の付勢力Ｆ２とが平衡して硬貨振分レバー１０９を図示の初期位置に停止させているが、一方、ソレノイド１０４が励磁され、図１９で示すようにプランジャ１０４ａを図面の右側へ吸引すると、スライダ１０５はスプリング１０７の付勢力Ｆ１に加えて、当該鉄製のスライダ１０５を吸着するプランジャ１０４ａの先端部の磁力Ｆ３が加わるので瞬時に図面の右側へ移動し、このため硬貨振分レバー１０９を軸１０９ａを中心に迅速に反時計方向へ回転駆動する。なお、図１８、１９で硬貨振分レバー１１５は第１乃至第５の硬貨振分レバー７０、７３、７６、８１、１００を概念的に総称したものである。
　【００９７】
　従って、上述した鉄製のスライダ１０５を使用したものでは、硬貨振分レバーの作動時にプランジャ１０４ａの先端部で発生する磁力を、その作動力に加えることができるので硬貨振分レバーの駆動レスポンスを一層向上させることができるという作用効果を生ずる。なお、図１８で示す実施例ではスライダ１０５全体を磁力により吸着される金属（鉄板）により形成したが、スライダ１０５の略全体をプラスチック等の合成樹脂（非磁性体）で形成し、さらにプランジャ１０４ａの先端部と対向する部分のみ磁力により吸着される金属で構成するようにしてもよい。
　【００９８】
　次に、上述した硬貨選別部１４の硬貨選別動作を以下に詳述する。
　【００９９】
　図１２と同一部分を同一符号で示す図２０のように、硬貨投入口２２から投入された硬貨Ｇが、コイルセンサ２４の検出信号に基づき偽貨と判定されると、その判定信号に基づいて第１の硬貨振分レバー７０は第２の硬貨通路７１を拡開して、同時に第３の硬貨通路７２の上流を閉塞する。すると、第１の硬貨通路２３内を転動する偽貨Ｇは第１の硬貨振分レバー７０により第２の硬貨通路７１内に案内され、さらに、この第２の硬貨通路７１に連通する偽貨排出シュート１２０を介して図示せぬ硬貨返却口に返却される。
　【０１００】
　次に、図１２と同一部分を同一符号で示す図２１のように、硬貨投入口２２から硬貨が投入され、その硬貨がコイルセンサ２４の検出信号に基づき硬貨Ａと判断されると、その判定信号に基づいて第１の硬貨振分レバー７０が作動し、第２の硬貨通路７１の上流を閉塞して第３の硬貨通路７２の上流を拡開するとともに、同時に第２の硬貨振分レバー７３が作動し第５の硬貨通路７５の上流を閉塞して第４の硬貨通路７４の上流を拡開し、さらに、第３の硬貨振分レバー７６が作動し第７の硬貨通路７８の上流を閉塞して第６の硬貨通路７７の上流を拡開する。すると、図２１の如く、第１の硬貨通路２３内を転動する硬貨Ａは第１の硬貨振分レバー７０により第３の硬貨通路７２内に案内され、さらに第３の硬貨通路７２内に案内された硬貨Ａは第２の硬貨振分レバー７３により傾斜した第４の硬貨通路７４に案内され、さらにこの第４の硬貨通路７４に案内された硬貨Ａは第３の硬貨振分レバー７６により第６の硬貨通路７７に案内され、その下方から落下して後述する硬貨収容部１３の硬貨Ａ専用のコインチューブ内に蓄積収容されることとなる。
　【０１０１】
　次に、図１２と同一部分を同一符号で示す図２２のように、硬貨投入口２２から硬貨が投入され、その硬貨がコイルセンサ２４の検出信号に基づき硬貨Ｂと判断されると、その判定信号に基づいて第１の硬貨振分レバー７０が作動し、第２の硬貨通路７１の上流を閉塞して第３の硬貨通路７２の上流を拡開するとともに、同時に第２の硬貨振分レバー７３が作動し第５の硬貨通路７５の上流を閉塞して第４の硬貨通路７４の上流を拡開し、さらに、第３の硬貨振分レバー７６が作動し第７の硬貨通路７８の上流を開放して第６の硬貨通路７７の上流を閉塞する。すると、図２２の如く、第１の硬貨通路２３内を転動する硬貨Ｂは第１の硬貨振分レバー７０により第３の硬貨通路７２内に案内され、さらに第３の硬貨通路７２内に案内された硬貨Ｂは第２の硬貨振分レバー７３により傾斜した第４の硬貨通路７４に案内され、さらにこの第４の硬貨通路７４に案内された硬貨Ｂは第３の硬貨振分レバー７６により第７の硬貨通路７８に案内され、その下方から落下して後述する硬貨収容部１３の硬貨Ｂ専用のコインチューブ内に蓄積収容されることとなる。
　【０１０２】
　次に、図１２と同一部分を同一符号で示す図２３のように、硬貨投入口２２から硬貨が投入され、その硬貨がコイルセンサ２４の検出信号に基づき硬貨Ｃと判断されると、その判定信号に基づいて第１の硬貨振分レバー７０が作動し、第２の硬貨通路７１の上流を閉塞して第３の硬貨通路７２の上流を拡開するとともに、同時に第２の硬貨振分レバー７３が作動し第５の硬貨通路７５の上流を拡開して第４の硬貨通路７４の上流を閉塞し、さらに、同時に第４の硬貨振分レバー８１が作動し第９の硬貨通路８０の上流を開放して第９の硬貨通路７９の上流を閉塞し、さらに、同時に第５の硬貨振分レバー１００が作動し第１０の硬貨通路１０１の上流を開放して第１１の硬貨通路１０２の上流を閉塞する。
　【０１０３】
　すると、図２３の如く、第１の硬貨通路２３内を転動する硬貨Ｃは第１の硬貨振分レバー７０により第３の硬貨通路７２内に案内され、さらに第３の硬貨通路７２内に案内された硬貨Ｃは第２の硬貨振分レバー７３により下方の第５の硬貨通路７５に案内され、さらにこの第５の硬貨通路７５に案内された硬貨Ｃは第４の硬貨振分レバー８１により第９の硬貨通路８０に案内され、さらにこの第９の硬貨通路８０に案内された硬貨Ｃは第５の硬貨振分レバー１００により第１０の硬貨通路１０１に案内され、さらにその下方から落下して後述する硬貨収容部１３の硬貨Ｃ専用のコインチューブ内に蓄積収容されることとなる。
　【０１０４】
　次に、図１２と同一部分を同一符号で示す図２４のように、硬貨投入口２２から硬貨が投入され、その硬貨がコイルセンサ２４の検出信号に基づき硬貨Ｄと判断されると、その判定信号に基づいて第１の硬貨振分レバー７０が作動し、第２の硬貨通路７１の上流を閉塞して第３の硬貨通路７２の上流を拡開するとともに、同時に第２の硬貨振分レバー７３が作動し第５の硬貨通路７５の上流を拡開して第４の硬貨通路７４の上流を閉塞し、さらに、同時に第４の硬貨振分レバー８１が作動し第９の硬貨通路８０の上流を開放して第９の硬貨通路７９の上流を閉塞し、さらに、同時に第５の硬貨振分レバー１００が作動し第１０の硬貨通路１０１の上流を閉塞して第１１の硬貨通路１０２の上流を開放する。
　【０１０５】
　すると、図２４の如く、第１の硬貨通路２３内を転動する硬貨Ｄは第１の硬貨振分レバー７０により第３の硬貨通路７２内に案内され、さらに第３の硬貨通路７２内に案内された硬貨Ｄは第２の硬貨振分レバー７３により下方の第５の硬貨通路７５に案内され、さらにこの第５の硬貨通路７５に案内された硬貨Ｄは第４の硬貨振分レバー８１により第９の硬貨通路８０に案内され、さらにこの第９の硬貨通路８０に案内された硬貨Ｄは第５の硬貨振分レバー１００により第１１の硬貨通路１０２に案内され、さらにその下方から落下して後述する硬貨収容部１３の硬貨Ｄ専用のコインチューブ内に蓄積収容されることとなる。
　【０１０６】
　なお、上述した硬貨選別部１４の選別動作により、各硬貨Ａ、Ｂ、Ｃ、Ｄが選別されると、各硬貨Ａ、Ｂ、Ｃ、Ｄは後述する硬貨収容部１３の各専用コインチューブ毎に順次蓄積収容されることとなる。
　【０１０７】
　しかし、このコインチューブ内に蓄積される硬貨の枚数がその収容枚数を越えると、オーバーフローすることとなるので、この硬貨処理装置１０では後述する各専用コインチューブ毎に配設されたオーバーフロー検出手段により、硬貨収容部１３の各専用コインチューブ毎に、その収容された硬貨の枚数が一定枚数に達するとそれを検知するようにしている。
　【０１０８】
　そこで、仮に硬貨Ｂが硬貨収容部１３の専用コインチューブ内に蓄積収容され、その収容枚数が一定枚数に達したとオーバーフロー検出手段により検出されたと仮定すると、上述した硬貨選別部１４は以下のような選別動作を行う。
　【０１０９】
　図１２と同一部分を同一符号で示す図２５のように、硬貨投入口２２から硬貨が投入され、その硬貨がコイルセンサ２４の検出信号に基づき硬貨Ｂと判断され、かつ後述するオーバーフロー検出手段により、硬貨収容部１３の各専用コインチューブ内に収容された硬貨Ｂの枚数が一定枚数に達したことが検知されると、これらの判定信号に基づいて第１の硬貨振分レバー７０が作動し、第２の硬貨通路７１の上流を閉塞して第３の硬貨通路７２の上流を拡開するとともに、同時に第２の硬貨振分レバー７３が作動し第５の硬貨通路７５の上流を拡開して第４の硬貨通路７４の上流を閉塞する。さらに、同時に第４の硬貨振分レバー８１が作動し第９の硬貨通路８０の上流を閉塞して第９の硬貨通路７９の上流を開放する。すると、図２５の如く、第１の硬貨通路２３内を転動する硬貨Ｂは第１の硬貨振分レバー７０により第３の硬貨通路７２内に案内され、さらに第３の硬貨通路７２内に案内された硬貨Ｂは第２の硬貨振分レバー７３により下方の第５の硬貨通路７５に案内される。さらにこの第５の硬貨通路７５に案内された硬貨Ｂは第４の硬貨振分レバー８１により第８の硬貨通路７９に案内され、さらにこの第８の硬貨通路７９に案内された硬貨Ｂは下方に落下し、さらにこの第８の硬貨通路７９に連通するシュート（図１の符号６６）を介し処理装置１０下方の図示せぬ金庫内に収容される。
　【０１１０】
　なお、上述したオーバーフロー時における硬貨選別部１４の硬貨選別処理は硬貨Ｂにかかわらず、オーバーフロー検出センサにより一定枚数に達した他の全ての硬貨に対しても同様に行われる。
　【０１１１】
　つまり、この発明に係わる硬貨処理装置１０では、硬貨収容部１３内に蓄積収容された硬貨のうちのいずれの硬貨であっても、その収容枚数が一定以上に達すると、その硬貨は硬貨収容部１３内に収容されることなく、第４の硬貨振分レバー８１により第８の硬貨通路７９に案内され金庫内に収容されることとなる。
　【０１１２】
　なお、上記実施例では、硬貨収容部１３内からオーバーフローした硬貨を全て第４の硬貨振分レバー８１により第８の硬貨通路７９に案内し金庫内に収容するようにしたが、この第４の硬貨振分レバー８１による硬貨振分動作は硬貨のオーバーフロー処理だけでなく、選別金種の増大に対応させることができる。
　【０１１３】
　即ち、この発明に係わる硬貨処理装置１０では、上述したオーバーフロー処理に加え、硬貨の正偽の選別と硬貨（正貨）Ａ、Ｂ、Ｃ、Ｄの選別に加えて、更に高額の硬貨Ｅを選別することも可能である。
　【０１１４】
　つまり、図２６で示すように、コイルセンサー２４の選別機能に新たな高額の硬貨Ｅの判定機能を加え、このコイルセンサー２４の検出信号に基づき以下のような硬貨選別処理を行えばよい。
　【０１１５】
　図１２と同一部分を同一符号で示す図２６のように、硬貨投入口２２から硬貨が投入され、その硬貨がコイルセンサ２４の検出信号に基づき硬貨Ｅと判断されると、この判定信号に基づいて第１の硬貨振分レバー７０が作動し、第２の硬貨通路７１の上流を閉塞して第３の硬貨通路７２の上流を拡開するとともに、同時に第２の硬貨振分レバー７３が作動し第５の硬貨通路７５の上流を拡開して第４の硬貨通路７４の上流を閉塞する。さらに、同時に第４の硬貨振分レバー８１が作動し第９の硬貨通路８０の上流を閉塞して第９の硬貨通路７９の上流を開放する。
　【０１１６】
　すると、図２６の如く、第１の硬貨通路２３内を転動する硬貨Ｅは第１の硬貨振分レバー７０により第３の硬貨通路７２内に案内され、さらに第３の硬貨通路７２内に案内された硬貨Ｅは第２の硬貨振分レバー７３により下方の第５の硬貨通路７５に案内される。またこの第５の硬貨通路７５に案内された硬貨Ｅは第４の硬貨振分レバー８１により第８の硬貨通路７９に案内され、さらにこの第８の硬貨通路７９に案内された硬貨Ｅは下方に落下し、この第８の硬貨通路７９に連通するシュート６６（図１）を介して金庫内に収容される。
　【０１１７】
　このようにして、上述した硬貨選別部１４では、第４の硬貨振分レバー８１による硬貨振分処理により、硬貨のオーバーフロー処理と金種の増大に伴う選別処理の双方を同時に行うことができる。
　【０１１８】
　次に、前述した硬貨収容部１３の各専用コインチューブ内に収容された硬貨の枚数が、それぞれ一定枚数に達するとそれを検知するオーバーフロー検出手段について詳述する。
　【０１１９】
　図１で示すように、硬貨処理装置１０の装置本体１１内に装着された硬貨収容部１３は複数のコインチューブ１１０、１１１、１１２、１１３により構成されており、このうち、コインチューブ１１０は硬貨Ａの、コインチューブ１１１は硬貨Ｂの、コインチューブ１１２は硬貨Ｃの、コインチューブ１１３は硬貨Ｄの専用コインチューブである。
　【０１２０】
　一方、上述したコインチューブ１１０、１１１、１１２、１１３のうち、コインチューブ１１１、１１２、１１３の上端と硬貨選別部１４の下端１４ｂとには、図２７の概念一部破断斜視図で示すように、オーバーフロー検出手段３００が配設されている。なお、この図２７は、図２で示すように硬貨選別部１４を装置本体１１内に装着した状態の概念一部破断斜視図である。
　【０１２１】
　このオーバーフロー検出手段３００は、硬貨収容部１３の背面に配設されたシャッター部１２１と、硬貨選別部１４の下端１４ｂ内に配設された検出部１２２とから構成されている。
　【０１２２】
　このうち、シャッター部１２１は、硬貨収容部１３背面に立設された複数のリブ１２３に嵌着した軸１２４と、この軸１２４にそれぞれ回動自在に支承された３枚のシャッタ１３０、１３１、１３２とから構成されている。
　【０１２３】
　この各シャッタ１３０、１３１、１３２のうち、シャッタ１３０は硬貨Ｂを収容するコインチューブ１１１の上部に、シャッタ１３１は硬貨Ｃを収容するコインチューブ１１２の上部に、またシャッタ１３２は硬貨Ｄを収容するコインチューブ１１３の各上部にそれぞれ配設されている。
　【０１２４】
　この各シャッタ１３０、１３１、１３２は各コインチューブ１１１、１１２、１１３に臨む面が断面くの字形状部１３０ａ、１３１ａ、１３２ａに形成され、また検出部１２２に臨む面が扇形形状部１３０ｂ、１３１ｂ、１３２ｂに形成されている。
　【０１２５】
　一方、検出部１２２は、図２７及び図６で示すように硬貨収容部１３の下端１４ｂであって、その突出する中央部１４ｃに形成された３つのスリット１４ｄ、１４ｅ、１４ｆ内に配設された、３つのホトセンサ１４０、１４１、１４２から構成されている。なお、この３つのホトセンサ１４０、１４１、１４２のうち、ホトセンサ１４０はシャッタ１３０の動きを、またホトセンサ１４１はシャッタ１３１の動きを、またホトセンサ１４２はシャッタ１３２の動きを検出するものである。
　【０１２６】
　なお、この各ホトセンサ１４０、１４１、１４２は互いにスリット幅Ｌの間隔を設けて離間し配設された一対の発光及び受光センサにより構成されている。なお、この発光及び受光センサは具体的には発光及び受光ダイオード等により構成されている。
　【０１２７】
　なお、図２７において、符号１４５は各コインチューブ１１１、１１２、１１３の上部を各コインチューブ１１１、１１２、１１３毎に覆うカバーである。
　【０１２８】
　次に、上述したオーバーフロー検出手段３００の作用を説明する。
　【０１２９】
　コインチューブ１１１とホトセンサ１４０の要部断面図で示す図２８のように、コインチューブ１１１内に硬貨Ｂが所定枚数以上収容されるとシャッタ１３０のくの字形状部１３０ａが収容された硬貨Ｂにより押圧されて軸１２４を中心に時計方向へ回動するので、これに応じて扇形形状部１３０ｂも時計方向へ回動し、このため扇形形状部１３０ｂが、ホトセンサ１４０の発光及び受光センサ間の光の通過が遮断されるので、コインチューブ１１１内に硬貨Ｂが所定枚数以上収容されたことが検出される。
　【０１３０】
　なお、他のコインチューブにおいても、上述したと同様の動作により各コインチューブ内に一定枚数収容されたことが検出される。
　【０１３１】
　従って、上述したオーバーフロー検出手段３００によると、従来の如くブロックアウトレバーを使用して、硬貨収容部からオーバーフローした硬貨を金庫側へ導くものと比較して構造が簡単となるばかりでなく、オーバーフロー検出手段の検出部１２２を構成するホトセンサ１４０、１４１、１４２を硬貨選別部１４側に配置したので、この硬貨選別部１４を装置本体１１から取り外す簡単な作業で検出部１２２の保守点検作業を行うことができることとなる。
　【０１３２】
　次に、上述した硬貨収容部１３に収容された硬貨を釣銭の額に応じて払い出す硬貨払出部１２について詳述する。
　【０１３３】
　図１に示すように、硬貨払出部１２は装置本体１１の最下部に配設され、コインチューブ１１０、１１１、１１２、１１３と補助チューブ１５に収容された各硬貨を釣銭の額に応じて払い出す。
　【０１３４】
　図２９は上述した硬貨払出部１２の概念斜視図である。
　【０１３５】
　この硬貨払出部１２は、一つの駆動モータ１５０と、この駆動モータ１５０の駆動力を伝達する歯車伝動手段（後述する）が内部に配設されたギャボックス１５１と、このギャボックス１５１内の歯車伝動手段を介し伝達された駆動力により一方向に回転する一対のペイアウトカム１５２、１５３と、このペイアウトカム１５２、１５３の下面に突設されたピン１５２ａ、１５３ａと係合する溝１５４ａ、１５４ｂを有し、ペイアウトカム１５２、１５３が矢印方向へ一回転すると、図の初期位置から矢印の方向へ往復運動するペイアウトリンク１５４と、このペイアウトリンク１５４に対し着脱自在に係合し、ペイアウトリンク１５４の往復運動に従動して矢印方向へ往復運動するペイアウトスライド１５５とから構成されている。
　【０１３６】
　このペイアウトスライド１５５には、図１に示すコインチューブ１１１の最下面に収容された硬貨Ｂを一枚だけ収容する孔１５５ａと、コインチューブ１１２の最下面に収容された硬貨Ｃを一枚だけ収容する孔１５５ｂと、コインチューブ１１３の最下面に収容された硬貨Ｄを一枚だけ収容する孔１５５ｃと、補助コインチューブ１５の最下面に収容された硬貨を一枚だけ収容する孔１５５ｄとがそれぞれ形成されている。なお、この孔１５５ａ、１５５ｂ、１５５ｃ、１５５ｄの下面の一部は硬貨収容部１３の底面１３ａに覆われている。
　【０１３７】
　一方、前記ペイアウトリンク１５４内には、先端が前記ペイアウトスライド１５５の各孔１５５ａ、１５５ｂ、１５５ｃ、１５５ｄの下面に臨み、常時は各硬貨の払出を規制するチェンジスライド１５６、１５７、１５８、１５９が出没自在に嵌挿している。
　【０１３８】
　このチェンジスライド１５６、１５７、１５８、１５９うち、チェンジスライド１５６の先端１５６ａは孔１５５ａに、チェンジスライド１５７の先端１５７ａは孔１５５ｂに、チェンジスライド１５８の先端１５８ａは孔１５５ｃに、またチェンジスライド１５９の先端１５９ａは孔１５５ｄに臨むように配設されている。
　【０１３９】
　また、この各チェンジスライド１５６、１５７、１５８、１５９の後端は、図示のチェンジスライド１５８の後端１５８ｂで代表するように、各チェンジスライド１５６、１５７、１５８、１５９毎に独立して配設されたチェンジソレノイド１６０のプランジャ１６０ａと係合し常時はその移動が規制されている。
　【０１４０】
　上述した、硬貨払出部１２によると、例えば硬貨Ｄを一枚払い出す信号が入力されると、その信号に基き、モータ１５０の回転力によりペイアウトカム１５２、１５３が矢印方向に一回転しペイアウトスライド１５５を矢印方向へ往復運動させて、ペイアウトスライド１５５の各孔１５５ａ、１５５ｂ、１５５ｃ、１５５ｄ内に収容された硬貨Ｂ、Ｃ、Ｄと補助チューブ１５に収容された硬貨を一枚ずつ孔１５５ａ、１５５ｂ、１５５ｃ、１５５ｄの下方から同時払出をしようとするが、その際、硬貨Ｄを一枚払い出す信号に基づき、チェンジスライド１５８の後端１５８ｂの動きを規制するチェンジソレノイド１６０のプランジャ１６０ａのみが作動してチェンジスライド１５８の後端１５８ｂとの係合を解除するので、チェンジスライド１５８のみが硬貨Ｄにより後方へスライド移動して孔１５５Ｃの底面を開放し、そのため硬貨Ｄは孔１５５Ｃの下方へ落下して払い出される。なお他のチェンジスライド１５６、１５７、１５９はその後端がチェンジソレノイドのプランジャによりその動きが規制されているので各孔１５５ａ、１５５ｂ、１５５ｄの底面はチェンジスライド１５６、１５７、１５９の各先端１５６ａ、１５７ａ、１５９ａにより開放されず、よって他の硬貨（Ｂ、Ｃ、補助チューブ内の硬貨）はペイアウトスライド１５５が矢印方向へ往復運動しても各孔１５５ａ、１５５ｂ、１５５ｄの底面から落下して払い出されることはない。
　【０１４１】
　すなわち、上述した硬貨払出部１２では、払い出す硬貨に対応したチェンジソレノイド１６０のプランジャ１６０ａを作動させて、払い出す硬貨に対応したチェンジスライドの規制を解除すれば、その硬貨を払い出すことができるように構成されている。勿論同一種類の硬貨を複数枚払い出す場合は、その硬貨の払出を規制するチェンジソレノイドを作動させてチェンジスライドの規制を解除し、その後その払出枚数分だけペイアウトスライド１５５を往復運動させればよく、また複数種類の硬貨を同時に払い出す場合は、その複数種類の硬貨に対応する複数のチェンジソレノイド１６０のプランジャ１６０ａを同時に作動させて、払い出す複数種類の硬貨に対応したチェンジスライドの規制を解除すれば、その複数種類の硬貨を同時に払い出すことができることとなる。
　【０１４２】
　一方、上述した硬貨払出部１２には、硬貨収容部１３のコインチューブ１１０（図１）に収容された硬貨Ａを払い出すための硬貨払出手段１７０が配設されている。
　【０１４３】
　図２９で示すように、この硬貨払出手段１７０は、ギャボックス１５１内の歯車伝動手段を介し伝達された一つの駆動モータ１５０の駆動力により一方向に回転するペイアウトカム１７１と、このペイアウトカム１７１の下面に突設されたピン１７１ａと係合する溝１７２ａを有し、ペイアウトカム１７１が矢印方向へ一回転すると、図の初期位置から矢印の方向へ往復運動するペイアウトスライド１７２から構成されている。
　【０１４４】
　このペイアウトスライド１７２には、図１に示すコインチューブ１１０の最下面に収容された硬貨Ａを一枚だけ収容する孔１７２ｂが形成されている。なお、この孔１７２ｂの下面の一部は硬貨払出部１２を構成するプレート１７３により覆われている。
　【０１４５】
　上述した硬貨払出手段１７０によると、ギャボックス１５１内の歯車伝動手段を介しモータ１５０の回転力によりペイアウトカム１７１が矢印方向に一回転し、ペイアウトスライド１７２を矢印方向へ往復運動させると、このペイアウトスライド１７２の孔１７２ｂに収容された硬貨Ａが一枚ずつ当該孔１７２ｂ内から下方に落下して払い出される。
　【０１４６】
　一方、前記ギャボックス１５１内の歯車伝動手段とペイアウトカム１７１との間にはクラッチ機構が介在されている。
　【０１４７】
　以下そのクラッチ機構について詳述する。
　【０１４８】
　図３０はギャボックス１５１内を示す概念断面図で、このギャボックス１５１内には、複数の歯車からなる歯車伝動手段１８０が収容されている。
　【０１４９】
　この歯車伝動手段１８０のうち、符号１８１は図２９で示すモータ１５０の駆動軸で、この駆動軸１８１はピニオン１８２を介して歯車伝動手段１８０の従動ギヤ１８３に歯合している。よってモータ１５０が回転すると、ピニオン１８２を介して歯車伝動手段１８０の全てのギャを所定の方向へ回転させる駆動力が伝達されることとなる。なお、図３０で符号１８４はペイアウトカム１５２に固着された軸であり、符号１８５はペイアウトカム１５３に固着された軸である。
　【０１５０】
　一方、上述した歯車伝動手段１８０の左端には、前記ペイアウトカム１７１に回転力を与える軸１９０が配設されており、この軸１９０は当該軸１９０に固着された従動ギャ１９１を介して常時歯車伝動手段１８０を構成する他のギヤ１９２と歯合している。
　【０１５１】
　一方、図２９の要部断面図で示す図３１で示すように、ペイアウトカム１７１の小径部１７１ｂと軸１９０の下端との間には、クラッチ機構２００が形成されている。
　【０１５２】
　このクラッチ機構２００は、ペイアウトカム１７１の小径部１７１ｂ内に形成された断面半月形状の凹部２０１と、軸１９０の下端に形成され、前記断面半月形状の凹部２０１内に嵌着自在な断面半月形状の凸部２０２とによって構成されている。
　【０１５３】
　一方、軸１９０に固着された従動ギャ１９１の下面とギャボックス１５１の下面との間には、常時は従動ギャ１９１を介して軸１９０を上方へ押し上げ、断面半月形状の凹部２０１と断面半月形状の凸部２０２との嵌合を解除するコイルバネ２０３が介在されている。また、軸１９０の上端には、硬貨Ａの払出信号が送給された際に、軸１９０をコイルバネ２０３の押圧力に抗して下方に押し下げ断面半月形状の凹部２０１と断面半月形状の凸部２０２とを嵌合させる押圧手段２１０が配設されている。
　【０１５４】
　この押圧手段２１０は、図２９で示すようにギャボックス１５１の上面に軸２１１を介して回動自在に支承されたＬ字形状のレバー２１２と、このレバー２１２の後端２１２ａをリンク機構２１３を介して吸引し、レバー２１２の先端２１２ｂを軸２１１を中心に反時計方向へ回転させるソレノイドプランジヤ２１４とから構成されている。そして、このレバー２１２の先端２１２ｂは図３１で示すように、先端に鋼球２１５が支承された軸１９０の先端と当接している。
　【０１５５】
　上述した押圧手段２１０によると、硬貨Ａの払出信号が送給されると、図３２で示すようにソレノイドプランジヤ２１４が作動して、レバー２１２を軸２１１を中心に反時計方向へ回転させるので、軸１９０はコイルバネ２０３の押圧力に抗して下方に押し下がり、このため断面半月形状の凹部２０１と断面半月形状の凸部２０２とが嵌合してペイアウトカム１７１が矢印方向へ回転し、図２９で示すようにペイアウトスライド１７２の孔１７２ｂに収容された硬貨Ａが一枚ずつ当該孔１７２ｂ内から下方に落下して払い出されることとなる。
　【０１５６】
　なお図３３は図３２のＩＩ断面図で、特に断面半月形状の凹部２０１と断面半月形状の凸部２０２とが嵌合した状態を示している。
　【０１５７】
　なお、上述した硬貨払出部１２によると、一つのモータ１５０により全ての硬貨（実施例では５種類）を払い出すことができるので部品点数が削減し安価に硬貨払出部１２を提供することができるという作用効果があり、またリンク機構による払出を採用することによりペイアウトスライドが往復動する際の負荷がなくなり、円滑な払出を行うことが可能となる作用効果もある。
　【０１５８】
　以上説明したように、この発明の硬貨処理装置では、
一方の軸（７６ａ）に支承された一方の硬貨振分レバー（７６）と、前記一方の軸（７６ａ）と互いに直交する他方の軸（８１ａ）に支承された他方の硬貨振分レバー（８１）とを、前記一方の硬貨振分レバー（７６）の先端部に固着された第一のピン（９１）であって、前記一方の硬貨振分レバー（７６）の前記一方の軸（７６ａ）と平行な第一のピン（９１）と、前記他方の硬貨振分レバー（８１）の前記他方の軸（８１ａ）にアーム（９２）を介して固着された第二のピン（９３）であって、前記他方の硬貨振分レバー（８１）の前記他方の軸（８１ａ）と平行な第二のピン（９３）と、前記第一のピン（９１）に係合する第一の係合凹部（９５）と前記第二のピン（９３）に係合する第二の係合凹部（９４）を両端部に形成した
（９６）と
前記一方の軸（７６ａ）に支承された前記一方の硬貨振分レバー（７６）と、前記一方の軸（７６ａ）と互いに直交する前記他方の軸（８１ａ）に支承された前記他方の硬貨振分レバー（８１）とを、前記
前記一方の軸（７６ａ）に支承された前記一方の硬貨振分レバー（７６）と、前記一方の軸（７６ａ）と互いに直交する前記他方の軸（８１ａ）に支承された前記他方の硬貨振分レバー（８１）
　【０１５９】
　【０１６０】